(57)【要約】【課題】利用者が簡単な操作をするだけで、緊急事態に対して素早く対処できる携帯電話を用いたセキュリティシステムを提供する。【解決手段】携帯電話を用いたセキュリティシステム１０は、公衆回線網２を介して相互に通信可能に接続されている、緊急ボタン１３を備えた携帯電話１１と、サーバ５と、複数の緊急連絡機関４と、を備えて構成され、携帯電話１１は、現在位置の位置情報を取得する位置情報取得手段２３と、緊急ボタン１３の押下によって位置情報取得手段２３により取得した位置情報を含む緊急情報をサーバ５に通知する緊急情報通知手段２４と、を備え、サーバ５は、位置情報に基づいて特定される携帯電話の位置の近隣の緊急連絡機関４を特定し、特定した緊急連絡機関４に位置情報を含む緊急情報を通知する。【選択図】図１
2007156967.tif 000002
【特許請求の範囲】
【請求項１】
公衆回線網を介して相互に通信可能に接続されている、緊急ボタンを備えた携帯電話と、サーバと、複数の緊急連絡機関と、を備えて構成され、
前記携帯電話は、現在位置の位置情報を取得する位置情報取得手段と、前記緊急ボタンの押下によって前記位置情報取得手段により取得した位置情報を含む緊急情報を前記サーバに通知する緊急情報通知手段と、を備え、
前記サーバは、前記位置情報に基づいて特定される携帯電話の位置に対応づけられる近隣の緊急連絡機関を特定する緊急連絡機関特定手段と、前記特定した緊急連絡機関に前記位置情報を含む緊急情報を通知する通知手段と、を備えていることを特徴とする携帯電話を用いたセキュリティシステム。
【発明の詳細な説明】
【技術分野】
【０００１】
本願は、携帯電話を用いたセキュリティシステムに関する。
【背景技術】
【０００２】
近年、子供の誘拐など路上における犯罪が多発している。こうした犯罪が発生した場合、速やかに第三者へ知らせ、その後の対処をとることが重要である。
【０００３】
子供に危険がおよんだ場合に速やかに第三者に知らせる手段として、親は、子供に、携帯式の防犯ブザーを持たせたり、ＧＰＳ（Global Positioning System）を利用して子供の位置を特定する機能を備えた携帯端末を持たせたりしている。
【発明の開示】
【発明が解決しようとする課題】
【０００４】
しかしながら、子供に対して危険が発生した場合において、防犯ブザーは何らかの理由で有効に機能していないことが多い。
【０００５】
また、ＧＰＳにより子供の位置を特定できたとしても、その後の対応が遅れ、結果的に役に立っていないのが現状である。
【０００６】
また、子供が防犯ブザーをもっていたとしても、緊急事態に心身ともに負荷の大きい状況を考えると、子供が速やかに防犯ブザーをならせるかどうかは疑問が残る。
【０００７】
そこで、本願は利用者が簡単な操作をするだけで、緊急事態に対して素早く対処できる携帯電話を用いたセキュリティシステムを提供することを目的とする。
【課題を解決するための手段】
【０００８】
請求項１に記載の携帯電話を用いたセキュリティシステム（１０）は、公衆回線網（２）を介して相互に通信可能に接続されている、緊急ボタン（１３）を備えた携帯電話（１１）と、サーバ（５）と、複数の緊急連絡機関（４）と、を備えて構成され、前記携帯電話は、現在位置の位置情報を取得する位置情報取得手段（２３）と、前記緊急ボタンの押下によって前記位置情報取得手段により取得した位置情報を含む緊急情報を前記サーバに通知する緊急情報通知手段（２４）と、を備え、前記サーバは、前記位置情報に基づいて特定される携帯電話の位置の近隣の緊急連絡機関を特定する緊急連絡機関特定手段（２８）と、前記特定した緊急連絡機関に前記位置情報を含む緊急情報を通知する通知手段（２９）と、を備えていることを特徴とする。
【発明を実施するための最良の形態】
【０００９】
以下、本願に係る携帯電話を用いたセキュリティシステムの最良の実施形態について図１乃至図４を用いて説明する。図１は本実施形態のセキュリティシステムの概略構成図、図２は携帯端末の概略構成図、図３はサーバの概略構成図、図４は本実施形態のセキュリティシステムの動作例を示す図である。
【００１０】
本実施形態のセキュリティシステム１０は、図１に示すように、電話回線網などの公衆回線網２に接続された複数の基地局３、３及び複数の警察や警備会社など緊急連絡機関４の端末、サーバ装置５、及び基地局３及び公衆回線網２を介してサーバ装置５に接続可能な携帯電話１１を備えて構成されている。基地局３は所定の範囲ごとに設置されており、携帯電話１１を利用する利用者の移動によって、当該携帯電話１１から発信される信号は、異なる基地局３で受信されるようになっている。
【００１１】
携帯電話１１は、図１に示すように、利用者の緊急事態を第三者に知らせる緊急ボタン１３を備えている。この緊急ボタン１３は、好ましくは、利用者が携帯電話１１を握った際に、入力（ＯＮ）状態となるように、例えば、図示のように、携帯電話１１の本体両側部に設けられている。また、誤動作を防ぐため、両側部の緊急ボタン１３がＡＮＤ回路により接続されており、当該両方の緊急ボタン１３を所定の時間を越えて押下した時に限り、入力（ＯＮ）状態となるように設けられている。
【００１２】
また、携帯電話１１は、図２に示すように、ディスプレイやボタンなどの表示・操作部２２、図示しないマイクやスピーカのほか、他の端末とデータの送受信又は通話するための送受信部２１、現在位置の情報（以下、単に「位置情報」と称する。）を取得する位置情報取得部２３、各部２１〜２３を制御する制御部２４を備えて構成されている。位置情報取得部２３は、例えば、図１に示すＧＰＳ（Global Positioning System）１５を利用して位置情報を取得するようになっている。
【００１３】
制御部２４は、緊急ボタン１３の押下に応じて、位置情報取得部２３により位置情報を取得し、当該位置情報を送受信部２１によりサーバ装置５に送信する。また、制御部２４は、緊急ボタン１３が所定の時間経過するまで押下され続けたか否かを判断し、その判断が肯定された場合に、緊急情報を位置情報とともに送受信部２１によりサーバ装置５に送信するようになっている。また、制御部２４は、後述するサーバ装置５からの位置情報送信要求に基づいて、ＧＰＳ１５により携帯端末１１の位置情報を取得して当該携帯端末１１の位置を特定し、その位置情報を送受信部２１によりサーバ装置５に送信するようになっている。
【００１４】
なお、本実施形態の位置情報取得部２３は、本願の位置情報取得手段として機能し、本実施形態の制御部２４は、本願の緊急情報通知手段として機能する。
【００１５】
サーバ装置５は、図３に示すように、他の端末とデータの送受信又は通話するための送受信部２６、データベースを格納する記憶部２７、利用者の位置に基づいて所定の緊急連絡機関４を特定する特定部２８、各部２６〜２８を制御する制御部２９を備えて構成されている。また、データベースは、図３に示すように、基地局３をその基地局３の近隣の警察や警備会社などの緊急連絡機関４に対応づけるとともに、当該警察や警備会社などの緊急連絡機関４を呼び出す電話番号などの連絡番号を含むテーブル２７ａを有している。
【００１６】
特定部２８は、携帯端末１１から位置情報を受信した基地局３に応じて、当該基地局３に対応づけられた緊急連絡機関４を検索し、特定する。なお、当該特定部２８は、携帯端末１１から受信した位置情報に基づいて近隣の緊急連絡機関４を検索し、特定するようにしても構わない。また、緊急連絡機関４とは、例えば、警察、警備会社などの管理下にある端末である。
【００１７】
また、制御部２９は、緊急情報が発信された携帯電話１１から連絡があるか否かを判断し、この判断が否定された場合に、利用者の位置（携帯電話１１の位置）を特定するとともに緊急情報を送受信部２６によって所定の緊急連絡機関４に通知（通報）するようになっている。また、制御部２９は、緊急情報を受けてから、所定の間隔（例えば、１分ごと）で、利用者の携帯電話１１に対して位置情報送信要求を行い、逐次利用者の位置情報を受信するようになっていることが好ましい。
【００１８】
また、緊急情報には、緊急情報を受けてから確認情報を送信する間の携帯電話１１の位置情報を時系列に並べた移動情報も含まれることが好ましい。このようにすれば、緊急情報が発信されてからの携帯電話１１の移動状態を知ることができるので、例えば、携帯電話１１の利用者が何らかの事件に巻き込まれた場合の対処（捜索）に利用することができ、便利である。
【００１９】
送受信部２６は、携帯電話１１から緊急情報を受信するとともに、確認情報を当該緊急情報が発信された携帯電話１１に送信する。また、利用者の位置情報と緊急情報を所定の緊急連絡機関４に通知するようになっている。当該確認情報や緊急情報は、例えば、メールで送受信されるが、通話可能に接続するようにしても構わないし、メールと通話の両方であっても構わない。
【００２０】
なお、本実施形態の特定部２８は、本願の緊急連絡機関特定手段として機能し、本実施形態の制御部２９は、本願の通知手段として機能する。
【００２１】
次いで、携帯電話を持つ利用者の緊急時におけるセキュリティシステムの動作について、図４を用いて説明する。なお、以下の説明において、図１〜図３の対応する符号を付することとするがこれによって限定されるものではない。
【００２２】
まず、利用者が誘拐等の犯罪に遭遇して警察などの助けが必要になったとき、利用者は携帯電話１１を握り締めて、緊急ボタン１３を押下し続ける。この時、携帯電話１１の制御部２４は、まず、緊急ボタン１３が所定の時間経過するまで押し続けられたか否かを判断し、次に、その判断が肯定されれば、位置情報取得部２３によって現在位置の位置情報を取得し、次に、送受信部２１によって、サーバ装置５に対して当該位置情報を含む緊急情報を通知する。なお、緊急ボタン１３が所定の時間押し続けられていない場合は、その後の処理を終了する。これにより、誤操作による緊急情報の発信を防止できる。
【００２３】
次いで、サーバ装置５の送受信部２６は、緊急情報を受信し、サーバ装置５の制御部２９は、その緊急情報を発信した携帯電話１１に対して確認情報を送信する。また、サーバ装置５の特定部２８は、当該緊急情報を受信した基地局３を特定し、記憶部２７から当該基地局３に対応付けられた緊急連絡機関４を特定する。また、サーバ５の制御部２９は、携帯電話１１に対して、位置情報送信要求を行う。このとき、携帯電話１１が繋がる状態であれば、携帯電話１１の制御部２４は、その位置情報送信要求を受けて、位置情報取得部２３によって現在位置の情報を位置情報を取得し、送受信部２１によってサーバ装置５にその位置情報を逐次送信するようになっている。
【００２４】
次いで、サーバ装置５の制御部２９は、所定の時間経過後、携帯電話１１からの連絡があったか否かを判断し、その判断が否定されたら、携帯端末１１からの位置情報に基づいて利用者の位置を特定し、当該位置情報を含む緊急情報を特定された緊急連絡機関４に通知する。なお、サーバ装置５からの確認情報の通知に対して携帯電話１１から連絡があった場合は、誤動作である可能性が高いのでその後の処理を終了する。
【００２５】
このようにして、警察や警備会社などの緊急連絡機関４では、当該緊急情報を受信すると、当該位置情報に基づいて緊急事態が発生した地点に担当者（警察官や警備員）を派遣する。
【００２６】
以上に説明したように、本実施形態のセキュリティシステム１０は、公衆回線網２を介して相互に通信可能に接続されている、緊急ボタン１３を備えた携帯電話１１と、サーバ装置５と、複数の緊急連絡機関４と、を備えて構成され、前記携帯電話１１は、現在位置の位置情報を取得する位置情報取得部２３と、緊急ボタン１３の押下によって前記位置情報取得部２３により取得した位置情報を含む緊急情報を前記サーバ装置５に通知する制御部２４と、を備え、前記サーバ装置５は、前記位置情報に基づいて特定される携帯電話１１の位置に対応づけられる前記携帯電話１１の位置の近隣の緊急連絡機関４を特定し、前記特定した緊急連絡機関４に前記位置情報を含む緊急情報を通知するようになっている。
【００２７】
このようにすれば、緊急時において、利用者の位置を素早く把握できるとともに、その位置に一番近い警備会社などの緊急連絡機関に連絡することが可能となるため、素早くその場所に警察官や警備員が派遣される。よって、利用者の危険に対して素早く対処することができるので、利用者の安全度を高めることができる。
【００２８】
また、緊急情報を受けてからの位置情報を逐次受けることにより、その移動状態がわかるので、例えば、誘拐などにおいては、警察官や警備員は、その逃亡経路を割り出すことが容易となる。
【００２９】
なお、本実施形態においては、携帯電話１１に緊急ボタン１３を備えるようにしているが、ボタンに限られず、利用者が携帯端末を握っていることを把握できるものであればどのようなものであってもかまわない。また、緊急ボタン１３は携帯電話１１の本体両側部に備えるようになっているが、片方であっても構わないし、別の場所にあっても構わない。利用者が押し易ければどこにあっても良い。
【図面の簡単な説明】
【００３０】
【図１】本実施形態のセキュリティシステムの概略構成図である。
【図２】携帯電話の概略構成図である。
【図３】サーバの概略構成図である。
【図４】本願のセキュリティシステムの動作例を示す図である。
【符号の説明】
【００３１】
２  公衆回線網
４  緊急連絡機関
５  サーバ
１０  セキュリティシステム
１１  携帯電話
１３  緊急ボタン
２３  位置情報取得部
２４、２９  制御部
２８  特定部
【図１】
2007156967.tif 000003
【図２】
2007156967.tif 000004
【図３】
2007156967.tif 000005
【図４】
2007156967.tif 000006